(57)【要約】【課題】バイスの所定の角度への回動を可能にし、構造をシンプル小型化し、操作が簡単であり、コストダウンおよび重量軽減を可能にすること。【解決手段】角度調整具１をボルト５１により複数の穴１２を介して機械テーブル２上に機械テーブルに形成された複数の平行溝２１を利用して基準軸に対して所定の角度になるように固定され、バイス固定用口金３の一面３１を前記角度調整具１の外側面の一面１１に当接させることにより、バイス４を基準軸に対して所定の角度になるように回動セットされるバイスの回動方法および装置ならびに角度調整具。【選択図】        図１
2004276220.tif 000002
【特許請求の範囲】
【請求項１】
機械テーブルに形成された複数の平行溝の中の基準軸となる一つに一端を係止した角度調整具を前記基準軸に対して所定の角度にセットして他端をその他の平行溝に係止して取り付け、
バイス固定用口金の一面を、取り付けられた前記角度調整具の一面に当接させることにより、バイスを前記基準軸に対して所定の角度になるように回動されることを特徴とするバイスの回動方法。
【請求項２】
請求項１において、
前記角度調整具が、該角度調整具に形成された複数の穴を介して前記機械テーブルに形成された複数の平行溝を利用して取り付けられる
ことを特徴とするバイスの回動方法。
【請求項３】
請求項２において、
バイス固定用口金の一面を、前記角度調整具の外側面の一面に当接させることによりバイスがセットされる
ことを特徴とするバイスの回動方法。
【請求項４】
請求項３において、
セットされた前記バイスが固定された後、前記角度調整具が取り外される
ことを特徴とするバイスの回動方法。
【請求項５】
機械テーブルに形成された複数の平行溝の間隔より長い長さを有し、前記平行溝への固定用の複数の穴が長手方向に形成されている
ことを特徴とするバイスの角度調整具。
【請求項６】
請求項５において、
前記複数の穴が、所定の間隔をおいて形成されている
ことを特徴とするバイスの角度調整具。
【請求項７】
請求項６において、
長手方向に形成された前記複数の穴の中心を結ぶ直線に平行な側壁面を備えている
ことを特徴とするバイスの角度調整具。
【請求項８】
請求項６において、
長手方向に形成された前記複数の穴の中心を結ぶ直線に対して傾斜した側壁面を備えている
ことを特徴とするバイスの角度調整具。
【請求項９】
請求項８において、
長手方向に形成された前記複数の穴の中心を結ぶ直線に対して角度の異なる傾斜した側壁面を備えた複数の角度調整具を備えている
ことを特徴とするバイスの角度調整具。
【請求項１０】
機械テーブルに形成された複数の平行溝の間隔より長い長さを有し、前記平行溝への固定用の穴とバイス固定用の穴を兼ねた長手方向に延在形成されている長穴が形成されている
ことを特徴とするバイスの角度調整具。
【請求項１１】
機械テーブルに形成された複数の平行溝の間隔より長い長さを有し、前記平行溝への固定用の複数の穴が長手方向に形成され、基準軸と所定の角度になるように前記複数の穴により機械テーブル上に取り付けられる角度調整具と、
一面を前記角度調整具の一面に当接させることにより、バイスを基準軸に対して所定の角度になるようにセットするバイス固定用口金とから成る
ことを特徴とするバイスの回動装置。
【発明の詳細な説明】
【０００１】
【発明の属する技術分野】
本発明は、バイスの回動方法および装置ならびに角度調整具に関する。
【０００２】
【従来の技術】
少ロット製品や単純加工製品の機械加工において、製品を固定する道具として各種種類のマシンバイスが多く利用されている。
【０００３】
このマシンバイスの機械への固定時の芯出し、すなわちマシンバイスの固定時の平行出しにおいては、簡単に言うとマシンバイス（以下バイスと言う）の固定部の口金にダイヤルゲージを当て、機械の基準軸（Ｘ軸又はＹ軸）に平行や角度をつけてボルトで固定している。
【０００４】
また従来のバイス固定で特に角度を付けて固定する方法においては、図５および図６に示されるように専用の回転テーブルＲＴの上にバイスＢを取付け、必要回転角を回しボルトＢＴで固定する方法や、バイス口金部（固定口金部）Ｍに角度ゲージを当て、角度ゲージの別面にダイヤルゲージで平行を出して固定する方法がある。
【０００５】
すなわち従来の回転する円テーブルＲＴの上にパイスＢの取付けを行う時前記バイスＢを円テーブルＲＴにボルトＢＴによって固定して、バイスの固定側口金Ｍにダイヤルゲージを当て、回転ハンドルＨを回して基準軸と平行になるようにセットし、この後円テーブルＲＴの３６０度目盛の目盛を０°に合わせた後、回転ハンドルＨを回して円テーブルＲＴを回転させ必要角度だけ傾けるものである。
【０００６】
【発明が解決しようとする課題】
上記従来の前記専用回転テーブルＲＴを利用したバイスＢの固定においては、回転テーブルＲＴから前記バイスＢまでの高さが高くなり、強力な加工ができないとともに、角度設定の精度が悪いという問題があった。
【０００７】
また機械テーブルＭＴに回転テーブルＲＴを取付けるボルトＢＴは強度が強いが、前記バイスＢを回転テーブルＲＴに取付けるボルトｂＴは細く強度が充分でないという問題があるとともに、又バイスＢを設置する上での工数も無視出来ないという問題があった。
【０００８】
さらに機械テーブルＭＴからバイスＢに取り付けた製品加工面までの高さが高くなるため、強力加工が必要な場合にはバイス固定ボルトｂＴの緩みと回転テーブルＲＴを機械テーブルＭＴに固定する固定ボルトＢＴの緩みが発生して、バイスＢが実際には動くため、製品が動くという問題があった。
【０００９】
また上記従来の前記角度ゲージを利用したバイス固定においては、角度の精度は正確に出るが、セット時間が多くかかるという問題があった。
【００１０】
上記の方法は、現在のような短納期で精度要求品にはむいていないという問題があった。
【００１１】
そこで本発明者は、角度調整具を機械テーブル上に基準軸と出来るだけ平行になるように取り付け、バイス固定用口金の一面を前記角度調整具の一面に当接させることにより、バイスを基準軸と平行になるようにセットされ、セットされた前記バイスを前記角度調整具に固定されるという本発明の技術的思想に着眼し、更に研究開発を重ねた結果、バイスの所定の角度への回動を可能にし、構造をシンプル小型化し、操作が簡単であり、コストダウンおよび重量軽減を可能にするという目的を達成する本発明に到達した。
【００１２】
【課題を解決するための手段】
本発明（請求項１に記載の第１発明）のバイスの回動方法は、
機械テーブルに形成された複数の平行溝の中の基準軸となる一つに一端を係止した角度調整具を前記基準軸に対して所定の角度にセットして他端をその他の平行溝に係止して取り付け、
バイス固定用口金の一面を、取り付けられた前記角度調整具の一面に当接させることにより、バイスを前記基準軸に対して所定の角度になるように回動されるものである。
ことを特徴とするバイスの回動方法。
【００１３】
本発明（請求項２に記載の第２発明）のバイスの回動方法は、
前記第１発明において、
前記角度調整具が、該角度調整具に形成された複数の穴を介して前記機械テーブルに形成された複数の平行溝を利用して取り付けられる
ものである。
【００１４】
本発明（請求項３に記載の第３発明）のバイスの回動方法は、
前記第２発明において、
バイス固定用口金の一面を、前記角度調整具の外側面の一面に当接させることによりバイスがセットされる
ものである。
【００１５】
本発明（請求項４に記載の第４発明）のバイスの回動方法は、
前記第３発明において、
セットされた前記バイスが固定された後、前記角度調整具が取り外される
ものである。
【００１６】
本発明（請求項５に記載の第５発明）のバイスの角度調整具は、
機械テーブルに形成された複数の平行溝の間隔より長い長さを有し、前記平行溝への固定用の複数の穴が長手方向に形成されている
ものである。
【００１７】
本発明（請求項６に記載の第６発明）のバイスの角度調整具は、
前記第５発明において、
前記複数の穴が、所定の間隔をおいて形成されている
ものである。
【００１８】
本発明（請求項７に記載の第７発明）のバイスの角度調整具は、
前記第６発明において、
長手方向に形成された前記複数の穴の中心を結ぶ直線に平行な側壁面を備えている
ものである。
【００１９】
本発明（請求項８に記載の第８発明）のバイスの角度調整具は、
前記第６発明において、
長手方向に形成された前記複数の穴の中心を結ぶ直線に対して傾斜した側壁面を備えている
ものである。
【００２０】
本発明（請求項９に記載の第９発明）のバイスの角度調整具は、
前記第８発明において、
長手方向に形成された前記複数の穴の中心を結ぶ直線に対して角度の異なる傾斜した側壁面を備えた複数の角度調整具を備えている
ものである。
【００２１】
本発明（請求項１０に記載の第１０発明）のバイスの角度調整具は、
機械テーブルに形成された複数の平行溝の間隔より長い長さを有し、前記平行溝への固定用の穴とバイス固定用の穴を兼ねた長手方向に延在形成されている長穴が形成されている
ものである。
【００２２】
本発明（請求項１１に記載の第１１発明）のバイスの回動装置は、
機械テーブルに形成された複数の平行溝の間隔より長い長さを有し、前記平行溝への固定用の複数の穴が長手方向に形成され、基準軸と所定の角度になるように前記複数の穴により機械テーブル上に取り付けられる角度調整具と、
一面を前記角度調整具の一面に当接させることにより、バイスを基準軸に対して所定の角度になるようにセットするバイス固定用口金とから成る
ものである。
【００２３】
【発明の作用および効果】
上記構成より成る第１発明のバイスの回動方法は、機械テーブルに形成された複数の平行溝の中の基準軸となる一つに一端を係止した角度調整具を前記基準軸に対して所定の角度にセットして他端をその他の平行溝に係止して取り付け、バイス固定用口金の一面を、取り付けられた前記角度調整具の一面に当接させることにより、バイスを前記基準軸に対して所定の角度になるように回動されるものであるので、バイスの所定の角度への回動を可能にし、操作が簡単であるという効果を奏する。
【００２４】
上記構成より成る第２発明のバイスの回動方法は、前記第１発明において、前記角度調整具が、該角度調整具に形成された複数の穴を介して前記機械テーブルに形成された複数の平行溝を利用して取り付けられるので、バイスの強固な固定を可能にし、操作が簡単であるという効果を奏する。
【００２５】
上記構成より成る第３発明のバイスの回動方法は、前記第２発明において、バイス固定用口金の一面を、前記角度調整具の外側面の一面に当接させることによりバイスがセットされるので、バイスを基準軸に対して所定の角度になるように回動させてセットすることを容易にするとともに、操作が簡単であるという効果を奏する。
【００２６】
上記構成より成る第４発明のバイスの回動方法は、前記第３発明において、セットされた前記バイスが固定された後、前記角度調整具が取り外されるので、
ワークの挟着を可能にするという効果を奏する。
【００２７】
上記構成より成る第５発明のバイスの角度調整具は、機械テーブルに形成された複数の平行溝の間隔より長い長さを有し、前記平行溝への固定用の複数の穴が長手方向に形成されているので、長手方向に形成された該複数の穴を利用して前記平行溝への固定および角度設定を容易にし、構造をシンプル小型化し、操作が簡単であり、コストダウンおよび重量軽減を可能にするという効果を奏する。
【００２８】
上記構成より成る第６発明のバイスの角度調整具は、前記第５発明において、所定の間隔をおいて形成されている前記複数の穴によって、機械テーブルに形成された前記複数の平行溝への固定および所定角度間隔毎のバイスの角度設定を可能にするので、複数の取付け角度を実現し、固定操作を容易にするという効果を奏する。
【００２９】
上記構成より成る第７発明のバイスの角度調整具は、前記第６発明において、長手方向に形成された前記複数の穴の中心を結ぶ直線に平行な側壁面を備えているので、角度調整具の角度に応じたバイスの角度設定を実現するという効果を奏する。
【００３０】
上記構成より成る第８発明のバイスの角度調整具は、前記第６発明において、長手方向に形成された前記複数の穴の中心を結ぶ直線に対して傾斜した側壁面を備えているので、角度調整具の角度および角度調整具の側壁面の傾斜角度に応じたバイスの角度を実現するという効果を奏する。
【００３１】
上記構成より成る第９発明のバイスの角度調整具は、前記第８発明において、長手方向に形成された前記複数の穴の中心を結ぶ直線に対して角度の異なる傾斜した側壁面を備えた複数の角度調整具を備えているので、バイスの複数角度における回動およびセットを実現するという効果を奏する。
【００３２】
上記構成より成る第１０発明のバイスの角度調整具は、機械テーブルに形成された複数の平行溝の間隔より長い長さを有し、前記平行溝への固定用の穴とバイス固定用の穴を兼ねた長手方向に延在形成されている長穴が形成されているので、バイスの任意角度における固定を実現するという効果を奏する。
【００３３】
上記構成より成る第１１発明のバイスの回動装置は、機械テーブルに形成された複数の平行溝の間隔より長い長さを有し、前記平行溝への固定用の複数の穴とバイス固定用の複数の穴とが長手方向に形成され、基準軸と出来るだけ平行になるように前記複数の穴により機械テーブル上に取り付けられる角度調整具と、一面を前記角度調整具の一面に当接させることにより、バイスを基準軸に対して所定の角度になるようにセットするバイス固定用口金とから成り、前記バイスを回動して所定の角度にセットされるので、バイスの所定の角度への回動を可能にし、構造がシンプル小型化し、操作が簡単であり、コストダウンおよび重量軽減を可能にするという効果を奏する。
【００３４】
【発明の実施の形態】
以下本発明の実施の形態につき、図面を用いて説明する。
【００３５】
（第１実施形態）
本第１実施形態のバイスの回動方法および装置は、図１および図２に示されるように角度調整具１をボルトにより複数の穴１２を介して機械テーブル２上に機械テーブルに形成された複数の平行溝２１を利用して基準軸に対して所定の角度になるように固定され、バイス固定用口金３の一面３１を前記角度調整具１の外側面の一面１１に当接させることにより、バイス４を基準軸に対して所定の角度になるように回動セットされるものである。
【００３６】
前記バイスの角度調整具１は、前記機械テーブル２に形成された複数の平行溝２１の間隔より長い長さを有し、前記平行溝２１への固定用の複数の穴１２とバイス固定用の複数の穴１３とが長手方向に所定の間隔をおいて形成されている回転補助具の一例としての矩形プレートである。
【００３７】
本バイスの角度調整具１は、長手方向に形成された前記複数の穴１２の中心を結ぶ直線（図１中一点鎖線で示す）に平行な側壁面１１を備えている。
【００３８】
本第１実施形態において、マシンバイス４を機械テーブル２上に角度をつけて固定するには、前記角度調整具１を機械テーブル２上に基準軸と平行になるように取り付ける。
【００３９】
すなわち前記角度調整具１を、機械テーブル２に形成された隣り合う２個の平行溝２１を利用して一つの平行溝によって決定される基準軸に対して所定の角度になるように配置して、ボルト５１またはシャフト５２、ナット５３および前記複数の平行溝２１に介挿される矩形ナット５４により複数の穴１２の両端の穴を介して平行溝２１の所定位置に固定される。
【００４０】
機械テーブル２上に基準軸と平行になるように固定された前記角度調整具１の外側面の一面１１に、バイス固定用口金３の一面３１を当接させることにより、前記バイス４が、前記基準軸と平行になるように回動セットされる。
【００４１】
前記角度調整具１の外側面の一面１１に、バイス固定用口金３の一面３１を当接させることによりセットされた前記バイス４が固定される。
【００４２】
上記構成より成る本第１実施形態のバイスの回動方法は、前記角度調整具１を機械テーブル２上の一つの平行溝によって決定される基準軸に対して所定の角度になるように取り付け、バイス固定用口金３の一面３１を回動して前記角度調整具１の一面１１に当接させることにより、前記バイス４が基準軸に対して所定の角度になるように回動セットされ、セットされた前記バイス４が固定されるので、前記バイス４の所定角度への回動およびセットを可能にし、操作が簡単であるという効果を奏する。
【００４３】
また本第１実施形態のバイスの回動方法は、前記角度調整具１を、前記機械テーブル２に形成された複数の平行溝２１を利用して取り付けられるので、前記バイス４の強固な固定を可能にし、操作が簡単であるという効果を奏する。
【００４４】
さらに本第１実施形態のバイスの回動方法は、前記バイス固定用口金３の一面３１を、前記角度調整具１の外側面の一面１１に当接させることにより前記バイス４が回動およびセットされるので、前記バイス４を基準軸に対して所定の角度になるようにセットすることを容易にするとともに、操作が簡単であるという効果を奏する。
【００４５】
本第１実施形態のバイスの回動装置は、前記機械テーブル２に形成された複数の平行溝２１の間隔より長い長さを有し、前記平行溝２１への固定用の複数の穴１２とバイス固定用の複数の穴１３とが長手方向に形成され、例えば一つの平行溝によって決定される基準軸に対して所定の角度になるように前記複数の穴１２により前記機械テーブル２上に取り付けられる角度調整具１と、一面を前記角度調整具１の一つの面１１に当接させることにより、前記バイス４を基準軸に対して所定の角度になるように回動およびセットするバイス固定用口金３とから成り、セットされた前記バイス４が固定されるので、前記バイス４の所定の角度への回動およびセットを可能にし、構造をシンプル小型化し、操作が簡単であり、コストダウンおよび重量軽減を可能にするという効果を奏する。
【００４６】
本第１実施形態のバイスの角度調整具は、前記機械テーブル２に形成された隣合う２個の平行溝２１の間隔より長い長さを有するので、両者の長さの関係で決まる範囲の角度設定を可能にし、長手方向に形成された前記平行溝２１への固定用の複数の穴１２とバイス固定用の複数の穴１２を利用して、前記バイス４の強固な固定を可能にし、構造をシンプル小型化し、固定操作が簡単であり、コストダウンおよび重量軽減を可能にするという効果を奏する。
【００４７】
また本第１実施形態のバイスの角度調整具は、所定の間隔をおいて形成されている前記複数の穴１２によって、前記機械テーブル２に形成された前記複数の平行溝２１への固定を可能にするので、複数の取付け角度を実現し、固定操作を容易にするという効果を奏する。
【００４８】
さらに本第１実施形態のバイスの角度調整具は、長手方向に形成された前記複数の穴１２の中心を結ぶ直線に平行な側壁面１１を備えているので、前記角度調整具１の角度に応じた前記バイス４のセット角度を実現するという効果を奏する。
【００４９】
本第１実施形態のバイスの回動方法および装置は、前記バイス４の角度出しの口金３や前記角度調整具１の前記側面１１を利用して回動して、所定角度にセットするものである。
【００５０】
（第２実施形態）
本第２実施形態の角度調整具は、図３に示されるように長手方向に形成された前記複数の穴１２の中心を結ぶ直線に対して傾斜した側壁面１４を備えている点が、上述の第１実施形態における角度調整具との相違点である。
【００５１】
本第２実施形態におけるバイスの角度調整具１は、他方の側壁面としては、上述の第１実施形態と同様の長手方向に形成された前記複数の穴１２の中心を結ぶ直線（図１中一点鎖線で示す）に平行な側壁面１１を備えた、角度プレートによって構成されている。
【００５２】
上記角度プレートは、一例として図３に示されるように所定間隔毎にＡないしＧで示される７個の穴が形成されている。
【００５３】
バイスの固定口金３の一つの面３１を利用して前記角度調整具１の平行面１１でセットした時は、前記角度調整具１のＡ穴とＤ穴によって前記角度調整具１を前記機械テーブル２に対してセットする場合は、例えば前記バイス４は前記テーブル２に対し９０°にセットできる。
【００５４】
また前記角度調整具１のＡ穴とＥ穴によって前記角度調整具１を機械テーブル２に対してセットした時は、例えばバイス４は前記テーブル２に対し８０°にセットできる。
【００５５】
バイスの固定口金３の一面３１を利用して前記角度調整具１の傾斜面１３でセットした時は、前記角度調整具１のＡ穴とＤ穴によって前記角度調整具１を機械テーブル２に対してセットする場合は、例えばバイス４は前記テーブル２に対し８５°にセットできる。
【００５６】
また前記角度調整具１のＡ穴とＥ穴によって前記角度調整具１を機械テーブル２に対してセットした時は、例えばバイス４は前記テーブル２に対し７５°にセットできる。
【００５７】
上述と同様の角度プレートを５枚用意すれば、１°単位で前記バイス４がセットできる。
【００５８】
本第２実施形態のバイスの角度調整具は、長手方向に形成された前記複数の穴１２の中心を結ぶ直線に対して傾斜した側壁面１４を備えているので、角度調整具の角度および角度調整具の側壁面の傾斜角度に応じたバイスの角度（８５°、７５°）を実現するという効果を奏する。
【００５９】
また本第２実施形態のバイスの角度調整具は、長手方向に形成された前記複数の穴の中心を結ぶ直線に対して角度の異なる傾斜した側壁面を備えた複数例えば５枚の角度調整具１を備えているので、バイスの複数角度例えば１度毎に前記バイス４の回動およびセットを実現するという効果を奏する。
【００６０】
（第３実施形態）
本第３実施形態のバイスの回動方法、装置および角度調整具は、図４に示されるように機械テーブル２に形成された複数の平行溝の間隔より充分長い長さを有し、前記平行溝２１への固定用の穴とバイス固定用の穴を兼ねた長手方向に延在形成されているスケールが付された長穴１５が形成されている点が、上述の実施形態における角度調整具との相違点である。
【００６１】
本第３実施形態のバイスの回動方法、装置および角度調整具は、機械テーブル２に形成された複数の平行溝２１の間隔より充分長い長さを有し、前記平行溝２１への固定用の穴が長手方向に延在形成されている前記長穴として形成されているので、角度調整具１およびバイス４の任意角度における回動およびセットを実現するという効果を奏する。
【００６２】
また本第３実施形態のバイスの回動方法、装置および角度調整具は、該角度調整具１に形成された前記長穴１５にスケールが付されているので、スケールを利用して容易に角度調整具１およびバイス４の任意角度における回動およびセットを実現するという効果を奏する。
【００６３】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【図面の簡単な説明】
【図１】本発明の第１実施形態のバイスの回動方法、装置および角度調整具を説明するための平面図である。
【図２】本第１実施形態のバイスの回動方法、装置および角度調整具を説明するための正面図である。
【図３】本発明の第２実施形態の角度調整具を説明するための平面図である。
【図４】本発明の第３実施形態のバイスの回動方法、装置および角度調整具を説明するための平面図である。
【図５】従来の回転テーブルを用いるバイスの回動装置を示す平面図である。
【図６】従来の回転テーブルを用いるバイスの回動装置を示す分別正面図である。
【符号の説明】
１  角度調整具
１１  角度調整具１の外側面
１２  穴
２  機械テーブル
２１  平行溝
３  バイス固定用口金
３１  バイス固定用口金の一面
４  バイス
【図１】
2004276220.tif 000003
【図２】
2004276220.tif 000004
【図３】
2004276220.tif 000005
【図４】
2004276220.tif 000006
【図５】
2004276220.tif 000007
【図６】
2004276220.tif 000008